(57)【要約】      （修正有）【課題】ブラック・シアン・マゼンタ・イエロー４色各々のトナー濃度調整処理を各プロセス速度毎に実施すると、現像装置、感光体、中間転写体などが消耗する。【解決手段】制御手段１４は、トナー濃度検出器１６が検出した結果に基づいてトナー濃度調整処理を実施し、トナー付着量を最適化するトナー濃度調整値を設定するトナー濃度調整値設定手段と、前記トナー濃度調整値を記憶する記憶手段１００とを有し、画像形成装置は、Ｎ個の印刷プロセス速度で駆動可能であり、前記トナー濃度調整値設定手段は、出荷時および、セットアップ時に、Ｎ個の印刷プロセス速度各々で、ブラック（Ｋ）、シアン（Ｃ）、マゼンタ（Ｍ）、イエロー（Ｙ）の４色の前記トナー濃度調整処理を実施し、前記Ｎ個の印刷プロセス速度各々の４色のトナー濃度調整値を設定し、記憶手段１００は、前記トナー濃度調整値を記憶することを特徴とする画像形成装置の制御方法。【選択図】図１
2009258456.tif 000002
【特許請求の範囲】
【請求項１】
感光体と、中間転写体と、現像装置と、前記中間転写体上のトナー付着量を検出するトナー濃度検出器と、制御手段を有する画像形成装置の制御方法において、前記制御手段は、前記検出した結果に基づいてトナー濃度調整処理を実施し、前記トナー付着量を最適化するトナー濃度調整値を設定するトナー濃度調整値設定手段と、前記トナー濃度調整値を記憶する記憶手段とを有し、前記画像形成装置は、第１から第ＮまでのＮ個の印刷プロセス速度で駆動可能であり、前記トナー濃度調整値設定手段は、出荷時および、セットアップ時に、前記第１から第ＮまでのＮ個の印刷プロセス速度各々で、ブラック（Ｋ）、シアン（Ｃ）、マゼンタ（Ｍ）、イエロー（Ｙ）の４色の前記トナー濃度調整処理を実施し、前記Ｎ個の印刷プロセス速度各々の４色のトナー濃度調整値を設定し、前記記憶手段は、各々の前記トナー濃度調整値を記憶することを特徴とする画像形成装置の制御方法。
【請求項２】
請求項１記載の画像形成装置の制御方法において、前記制御手段は、前記トナー濃度調整値設定手段が、前記第１印刷プロセス速度の前記ブラックのトナー濃度調整値から前記第１印刷プロセス速度のシアン、マゼンタ、イエローのトナー濃度調整値へ変換する変換値を各々取得して設定し、前記変換値を前記記憶手段に記憶させることを特徴とする画像形成装置の制御方法。
【請求項３】
請求項１記載の画像形成装置の制御方法において、前記トナー濃度調整値設定手段が、前記第１印刷プロセス速度の前記ブラック、シアン、マゼンタ、イエローの各々のトナー濃度調整値から、前記第Ｎまでの他の印刷プロセス速度各々のブラック、シアン、マゼンタ、イエローのトナー濃度調整値へ変換する変換値を各々取得してブラック、シアン、マゼンタ、イエロー各々の速度変換値を設定し、前記速度変換値を前記記憶手段に記憶させることを特徴とする画像形成装置の制御方法。
【請求項４】
請求項３記載の画像形成装置の制御方法において、前記画像形成装置は、前記出荷時及びセットアップ時以外に電源が投入された直後、あるいはスリープモードが解除された直後、あるいは規定枚数印刷毎に行われる前記トナー濃度調整処理は、前記トナー濃度調整値設定手段が前記第１印刷プロセス速度でブラックの前記トナー濃度調整処理を実施し、前記ブラックのトナー濃度調整値を設定し、前記記憶手段に記憶させることを特徴とする画像形成装置の制御方法。
【請求項５】
請求項４記載の画像形成装置の制御方法において、前記制御装置は、前記トナー濃度調整値設定手段が、前記第１印刷プロセス速度の前記ブラックのトナー濃度調整値から前記第１印刷プロセス速度のシアン、マゼンタ、イエロートナー濃度調整値へ各々変換する前記変換値により、前記第１印刷プロセス速度のシアン、マゼンタ、イエローのトナー濃度調整値を取得して設定し、前記記憶手段に記憶させることを特徴とする画像形成装置。
【請求項６】
請求項５記載の画像形成装置の制御方法において、前記制御装置は、前記トナー濃度調整値設定手段が、前記第１印刷プロセス速度の前記ブラック、シアン、マゼンタ、イエローのトナー濃度調整値から、前記第Ｎまでの他の印刷プロセス速度各々のブラック、シアン、マゼンタ、イエローのトナー濃度調整値へ変換する前記速度変換値により、前記他の印刷プロセス速度各々のブラック、シアン、マゼンタ、イエローのトナー濃度調整値を取得して設定し、前記記憶手段に記憶させることを特徴とする画像形成装置。
【発明の詳細な説明】
【技術分野】
【０００１】
本発明は、電子写真技術を利用したカラー複写機、カラープリンタやカラーマルチファンクション機などの画像形成装置の制御方法に関し、特に、トナー濃度検出器によるトナー付着量の測定結果に基づき画像形成条件を調整する画像形成装置の制御方法に関する。
【背景技術】
【０００２】
プリンタ、複写機などの電子写真方式の画像形成装置では、使用する環境及び印刷するプロセス速度により画質に関わるトナーの付着量などが影響を受け易い。画像品質を安定させるためには、使用する環境及び印刷するプロセス速度各々でブラック（Ｋ）、シアン（Ｃ）、マゼンタ（Ｍ）、イエロー（Ｙ）４色のトナー濃度調整値を設定しなくてはならない。
【０００３】
そのため必要に応じて、印刷するプロセス速度毎にブラック、シアン、マゼンタ、イエローで所定の画像パターンを有するトナー濃度調整用の小画像（濃度パッチ）を形成するとともに、トナー濃度検出器によりトナー付着量を検出し、その検出結果に基づいて、画像形成条件を調整することで所定の画像品質を安定して得られるようにしている（例えば、特許文献１及び２参照）。
【０００４】
例えば、装置の電源が投入された直後、あるいはスリープモードが解除された直後、あるいは規定枚数印刷毎に装置のウォーミングアップを行い、それが完了すると、引き続いてトナー濃度調整処理を実施する。このトナー濃度調整処理では、画像品質に影響を与える濃度因子であるレーザの光量及び帯電バイアス及び、現像バイアスをそれぞれ求めた最適値に設定することで、最適な画像形成条件、トナー付着量が得られる。そして、最適化された画像形成条件の下で画像形成動作を実行することで、良好かつ安定した画像品質で画像を形成することができる。
【０００５】
【特許文献１】特開２００１−７５３１８号公報
【特許文献２】特開２００４−１０９３２１号公報
【発明の開示】
【発明が解決しようとする課題】
【０００６】
画像形成装置によっては、装置の電源が投入された直後、あるいはスリープモードが解除された直後、あるいは規定枚数印刷毎に、画像形成装置が有する印刷プロセス速度各々でトナー濃度調整処理を実施しないほうが好ましい場合も考えられる。
【０００７】
例えば、印刷プロセス速度全てでトナー濃度調整処理を上記のタイミング毎に実施することにより、現像装置、感光体、中間転写体などが消耗する。前記消耗品は、不要なトナー濃度調整処理により無駄に消耗されていた。また、トナー濃度調整処理に無駄な時間がかかっていた。
【課題を解決するための手段】
【０００８】
上記課題を解決するために、本発明は、感光体と、中間転写体と、現像装置と、前記中間転写体上のトナー付着量を検出するトナー濃度検出器と、制御手段を有する画像形成装置の制御方法において、前記制御手段は、前記検出した結果に基づいてトナー濃度調整処理を実施し、前記トナー付着量を最適化するトナー濃度調整値を設定するトナー濃度調整値設定手段と、前記トナー濃度調整値を記憶する記憶手段とを有し、前記画像形成装置は、第１から第ＮまでのＮ個の印刷プロセス速度で駆動可能であり、前記トナー濃度調整値設定手段は、出荷時および、セットアップ時に、前記第１から第ＮまでのＮ個の印刷プロセス速度各々で、ブラック（Ｋ）、シアン（Ｃ）、マゼンタ（Ｍ）、イエロー（Ｙ）の４色の前記トナー濃度調整処理を実施し、前記Ｎ個の印刷プロセス速度各々の４色のトナー濃度調整値を設定し、前記記憶手段は、各々の前記トナー濃度調整値を記憶することを特徴とする
また、前記制御装置は、前記トナー濃度調整値設定手段が、第１印刷プロセス速度のブラックトナー濃度調整値と第１印刷プロセス速度のシアントナー濃度調整値との相対関係の特性により、第１印刷プロセス速度のブラックトナー濃度調整値から第１印刷プロセス速度のシアントナー濃度調整値へ変換する変換値を取得して設定し、前記変換値を前記記憶手段に記憶させることを特徴とする。
【０００９】
また、前記制御装置は、前記トナー濃度調整値設定手段が、前記第１印刷プロセス速度のブラックトナー濃度調整値と第１印刷プロセス速度のマゼンタトナー濃度調整値との相対関係の特性により、第１印刷プロセス速度のブラックトナー濃度調整値から第１印刷プロセス速度のマゼンタトナー濃度調整値へ変換する変換値を取得して設定し、前記変換値を前記記憶手段に記憶させることを特徴とする。
【００１０】
また、前記制御装置は、前記トナー濃度調整値設定手段が、前記第１印刷プロセス速度のブラックトナー濃度調整値と第１印刷プロセス速度のイエロートナー濃度調整値との相対関係の特性により、第１印刷プロセス速度のブラックトナー濃度調整値から第１印刷プロセス速度のイエロートナー濃度調整値へ変換する変換値を取得して設定し、前記変換値を前記記憶手段に記憶させることを特徴とする。
【００１１】
また、前記制御装置は、前記トナー濃度調整値設定手段が、前記第１印刷プロセス速度のブラックトナー濃度調整値と他の印刷プロセス速度（第２から第Ｎの印刷プロセス速度）のブラックトナー濃度調整値との相対関係の特性により、第１印刷プロセス速度のブラックトナー濃度調整値から他の印刷プロセス速度各々のブラックトナー濃度調整値へ変換する変換値を取得して速度変換値を設定し、前記速度変換値を前記記憶手段に記憶させることを特徴とする。
【００１２】
また、前記制御装置は、前記トナー濃度調整値設定手段が、前記第１印刷プロセス速度のシアントナー濃度調整値と他の印刷プロセス速度（第２から第Ｎの印刷プロセス速度）のシアントナー濃度調整値との相対関係の特性により、第１印刷プロセス速度のシアントナー濃度調整値から他の印刷プロセス速度各々のシアントナー濃度調整値へ変換する変換値を取得して速度変換値設定し、前記速度変換値を前記記憶手段に記憶させることを特徴とする。
【００１３】
また、前記制御装置は、前記トナー濃度調整値設定手段が、前記第１印刷プロセス速度のマゼンタトナー濃度調整値と他の印刷プロセス速度（第２から第Ｎの印刷プロセス速度）のマゼンタトナー濃度調整値との相対関係の特性により、第１印刷プロセス速度のマゼンタトナー濃度調整値から他の印刷プロセス速度各々のマゼンタトナー濃度調整値へ変換する変換値を取得して速度変換値を設定し、前記速度変換値を前記記憶手段に記憶させることを特徴とする。
【００１４】
また、前記制御装置は、前記トナー濃度調整値設定手段が、前記第１印刷プロセス速度のイエロートナー濃度調整値と他の印刷プロセス速度（第２から第Ｎの印刷プロセス速度）のイエロートナー濃度調整値との相対関係の特性により、第１印刷プロセス速度のイエロートナー濃度調整値から他の印刷プロセス速度各々のイエロートナー濃度調整値へ変換する変換値を取得して速度変換値設定し、前記速度変換値を前記記憶手段に記憶させることを特徴とする。
【００１５】
また、前記画像形成装置は、前記出荷時及びセットアップ時以外に電源が投入された直後、あるいはスリープモード解除された直後、あるいは規定枚数印刷毎に行われる前記トナー濃度調整処理は、前記トナー濃度調整値設定手段が前記第１印刷プロセス速度でブラックの前記トナー濃度調整処理を実施し、前記ブラックのトナー濃度調整値を設定し、前記記憶手段に記憶させることを特徴とする。
【００１６】
また、前記制御装置は、前記トナー濃度調整値設定手段が、前記第１印刷プロセス速度の前記ブラックトナー濃度調整値から前記第１印刷プロセス速度のシアン濃度調整値へ変換する前記変換値により、前記第１印刷プロセス速度のシアンのトナー濃度調整値を取得して設定し、前記記憶手段に記憶させることを特徴とする。
【００１７】
また、前記制御装置は、前記トナー濃度調整値設定手段が、前記第１印刷プロセス速度の前記ブラックトナー濃度調整値から前記第１印刷プロセス速度のマゼンタ濃度調整値へ変換する前記変換値により、前記第１印刷プロセス速度のマゼンタのトナー濃度調整値を取得して設定し、前記記憶手段に記憶させることを特徴とする。
【００１８】
また、前記制御装置は、前記トナー濃度調整値設定手段が、前記第１印刷プロセス速度の前記ブラックトナー濃度調整値から前記第１印刷プロセス速度のイエロー濃度調整値へ変換する前記変換値により、前記第１印刷プロセス速度のイエローのトナー濃度調整値を取得して設定し、前記記憶手段に記憶させることを特徴とする。
【００１９】
また、前記制御装置は、前記トナー濃度調整値設定手段が、前記第１印刷プロセス速度の前記ブラックトナー濃度調整値から前記第Ｎまでの他の印刷プロセス速度各々のブラックトナー濃度調整値へ変換する前記速度変換値により、前記他の印刷プロセス速度各々のブラックトナー濃度調整値を取得して設定し、前記記憶手段に記憶させることを特徴とする。
【００２０】
また、前記制御装置は、前記トナー濃度調整値設定手段が、前記第１印刷プロセス速度の前記シアントナー濃度調整値から前記第Ｎまでの他の印刷プロセス速度各々のシアントナー濃度調整値へ変換する前記速度変換値により、前記他の印刷プロセス速度各々のシアントナー濃度調整値を取得して設定し、前記記憶手段に記憶させることを特徴とする。
【００２１】
また、前記制御装置は、前記トナー濃度調整値設定手段が、前記第１印刷プロセス速度の前記マゼンタトナー濃度調整値から前記第Ｎまでの他の印刷プロセス速度各々のマゼンタナー濃度調整値へ変換する前記速度変換値により、前記他の印刷プロセス速度各々のマゼンタトナー濃度調整値を取得して設定し、前記記憶手段に記憶させることを特徴とする。
【００２２】
また、前記制御装置は、前記トナー濃度調整値設定手段が、前記第１印刷プロセス速度の前記イエロートナー濃度調整値から前記第Ｎまでの他の印刷プロセス速度各々のイエロートナー濃度調整値へ変換する前記速度変換値により、前記他の印刷プロセス速度各々のイエロートナー濃度調整値を取得して設定し、前記記憶手段に記憶させることを特徴とする。
【発明の効果】
【００２３】
本発明によれば、トナー濃度調整処理時間の短縮及び装置の無駄な消耗を抑制することが可能な画像形成装置の制御方法を提供することができる。
【発明を実施するための最良の形態】
【００２４】
図１は、本発明に係る画像形成装置の一実施形態を示す図である。
【００２５】
図１の画像形成装置は、以下のように構成されている。感光体１を帯電器６で帯電し、露光装置５で露光して感光体１に静電潜像を形成し、静電潜像を現像装置７〜１０で現像して感光体１上にトナー像を形成する。続いて感光体１と一部で接触しトナー像を１色ごとに転写して移行する中間転写体２と、感光体１の一部を介して中間転写体２に駆動力を与える感光体１を駆動する駆動手段３と、中間転写体２上で複数のトナー像を重ねあわせてカラー画像形成する一連の動作を制御する制御手段１４を備えている。
【００２６】
さらに、カラー画像の形成中には待避して、中間転写体２と非接触状態になり、カラー画像形成後に記録媒体を介して中間転写体２に圧着する接触／待避切り替え機構を有し、形成された前記カラー画像を記録媒体に第二次転写する転写器４と、中間転写体２上のトナー付着量を検出するトナー濃度検出器１６と、トナー付着量を最適化するトナー濃度調整値を設定するトナー濃度調整値設定手段と、トナー濃度調整処理によって取得されたトナー濃度調整値などを記憶することができる記憶手段である記憶装置１００を備えている。
【００２７】
図４は、記憶装置１００の内部エリアの構成を示す図である。
【００２８】
図４の記憶装置１００は、トナー濃度調整処理によって取得した第１から第Ｎまでの印刷プロセス速度各々の４色（ブラック、シアン、マゼンタ、イエロー）のトナー濃度調整値１０１と、第１印刷プロセス速度のブラックトナー濃度調整値から第１印刷プロセス速度の他の３色（シアン、マゼンタ、イエロー）のトナー濃度調整値に各々変換する変換値１０２と、第１印刷プロセス速度のトナー濃度調整値から他の印刷プロセス速度（第２から第Ｎまでの印刷プロセス速度）各々のトナー濃度調整値に４色（ブラック、シアン、マゼンタ、イエロー）各々変換する変換値１０３を記憶することができる。
【００２９】
ここで、一例として４色重ねでカラー画像を形成するときのカラー画像形成プロセス動作を説明する。
【００３０】
感光体１は矢印ａの方向に一定の速度で回転されながら、帯電器６により一様に帯電され、各色画像信号に従って露光装置５から発光されるレーザ光により露光され、各色に対応する静電潜像が順次形成される。まず、感光体１の１回転目に現像装置７に対応する色のトナー像は、感光体１と接触しながら従動する中間転写体２表面に転写されて、中間転写体２表面上に現像装置７の色のトナー像を形成する。順次、感光体１の２回転目に現像装置８に対応する色の静電潜像が形成され、現像装置８でトナー像を現像し中間転写体２表面に転写され、同様に感光体１の３回転目に現像装置９、４回転目に現像装置１０と中間転写体２表面に現像、転写される。各現像装置７から１０で現像するトナーの色は任意で良いが、本実施例では、現像装置７はブラック（Ｋ）、現像装置８はイエロー（Ｙ）、現像装置９はマゼンタ（Ｍ）、現像装置１０はシアン（Ｃ）とした。また、現像の順番も任意で良い。以上のプロセスで中間転写体２上にカラー画像が形成されるが、この間は、転写器４は中間転写体２上のカラー形成画像を乱さないようにするために、中間転写体２に接触しない待避状態にある。
【００３１】
用紙カセット１１に蓄積された図示しない記録媒体は、給紙ローラ１２によって用紙カセット１１からピックアップ、搬送されて、転写器４に送られる。前記転写器４に記録媒体を接触させた状態で、その背面から機械的な押圧力と転写電界を与えることにより、中間転写体２上のカラートナー像を記録媒体である用紙などに転写する。
【００３２】
カラートナー像が転写された用紙は、中間転写体２から剥離され、定着器１３に送られ、定着器１３を通る間にカラートナー像が用紙表面上に熱定着され、機外に排出される。
【００３３】
なお、図１の画像形成装置は制御手段１４を有し、制御装置１４は、ワンチップのマイコンプロセッサー（ＣＰＵ）で構成することも可能である。
【００３４】
モノクロ画像形成プロセスでは、トナー像の形成に必要なブラック（Ｋ）のみ使用し、その他のプロセスはカラー画像形成プロセスと同様である。
【００３５】
また、トナー濃度調整処理は、電源投入直後、スリープモード解除直後、そして規定枚数印刷毎に行う。中間転写体２に形成された濃度パッチをトナー濃度検出器１６によって検出して、濃度パッチのトナー付着量が目標とする値となるように、露光装置５のレーザの光量、帯電器６の帯電バイアス及び現像バイアスなどを調整する。
【実施例１】
【００３６】
本実施形態の画像形成装置の出荷時（工場出荷されてから初めて装置の電源を投入する時）及びセットアップ時（現像装置、感光体、中間転写体などの画像形成に関わる部品を交換してから初めて装置の電源を投入する時）のトナー濃度調整処理の制御方法について図２を用いて説明する。
【００３７】
第１から第ＮまでのＮ個の印刷プロセス速度を有する本実施形態の画像形成装置の制御手段１４は、出荷時及びセットアップ時（Ｓ１）は、画像形成装置が有する第１から第Ｎまでの印刷プロセス速度毎に、ブラック（Ｋ）、シアン（Ｃ）、マゼンタ（Ｍ）、イエロー（Ｙ）４色のトナー濃度調整処理を各々実施し（Ｓ２）、第１から第Ｎまでの印刷プロセス速度の４色のトナー濃度調整値１０１を設定して記憶装置１００に記憶させる（Ｓ３）。
【００３８】
さらに、第１印刷プロセス速度のブラックトナー濃度調整値から第１印刷プロセス速度のシアン、マゼンタ、イエローのトナー濃度調整値へ各々変換する変換値１０２を取得設定して記憶装置１００に記憶させる（Ｓ４）。
【００３９】
さらに、第１印刷プロセス速度のトナー濃度調整値から他の印刷プロセス速度各々のトナー濃度調整値へ４色各々変換する速度変換値１０３を取得設定して記憶装置１００に記憶させる（Ｓ５）。
【００４０】
次に、本実施形態の画像形成装置における出荷時及びセットアップ時以外の電源投入直後、スリープモード解除直後、そして規定枚数印刷毎に行うトナー濃度調整処理の制御方法について図３を用いて説明する。
【００４１】
制御手段１４は、出荷時及びセットアップ時以外で、例えば、通常使用時の電源投入直後、スリープモード解除直後、そして規定枚数印刷毎（Ｓ６）は、第１印刷プロセス速度でブラック１色のトナー濃度調整処理を実施し（Ｓ７）、トナー濃度調整値を設定して記憶装置１００に記憶させる（Ｓ８）。さらに第１印刷プロセス速度用ブラックトナー濃度調整値から第１印刷プロセス用シアン・マゼンタ・イエローのトナー濃度調整値へ変換値１０２を用いて変換して設定し、記憶装置１００に記憶させる（Ｓ９）。さらに第１印刷プロセス速度のトナー濃度調整値から他の印刷プロセス速度各々の４色各々のトナー濃度調整値へ速度変換値１０３を用いて変換して設定し、記憶装置１００に記憶させる（Ｓ１０）。
【００４２】
このように本実施形態では、出荷時及びセットアップ時以外に行われるトナー濃度調整処理において、第１から第Ｎまでの印刷プロセス速度でブラック、シアン、マゼンタ、イエロー４色各々のトナー濃度調整処理を行わずに、第１印刷プロセス速度でブラック１色のトナー濃度調整処理のみを行うことにより、第１印刷プロセス速度用の他の３色（シアン・マゼンタ・イエロー）のトナー濃度調整値を設定できる。
【００４３】
さらに、第１印刷プロセス速度でブラック１色のトナー濃度調整処理のみを行うことにより、他の印刷プロセス速度（第２から第Ｎ印刷プロセス速度）用の４色（ブラック・シアン・マゼンタ・イエロー）のトナー濃度調整値を設定でき、第１印刷プロセス速度用の３色（シアン・マゼンタ・イエロー）のトナー濃度調整処理と第２から第Ｎ印刷プロセス速度用の４色（ブラック・シアン・マゼンタ・イエロー）のトナー濃度調整処理を省略でき、トナー濃度調整時間の短縮及び装置の無駄な消耗を抑制することができる。
【００４４】
出荷時及びセットアップ時以外に、装置を移動し、環境が変わってしまった場合などに、第１印刷プロセス速度のブラックトナー濃度調整値から変換して設定する第１印刷プロセス速度のシアン・マゼンタ・イエローのトナー濃度調整値や、第１以外の印刷プロセス速度の４色各々のトナー濃度調整値は、正しく変換されない場合があり、印刷の画質が悪くなる場合がある。その場合の電源投入直後、スリープモード解除直後、そして規定枚数印刷毎に行うトナー濃度調整処理は、手動により出荷時及びセットアップ時に行うＮ個の印刷プロセス速度で４色各々のトナー濃度調整処理（図２）を実施して、一度正確にトナー濃度調整値及び変換値を設定するのが好ましい。
【００４５】
本発明によれば、画像形成装置において、１つの印刷プロセス速度でかつブラック１色の１回のトナー濃度調整処理で、第１印刷プロセス速度のシアン・マゼンタ・イエロー３色各々のトナー濃度調整処理と、画像形成装置が有するその他第２から第Ｎまでの印刷プロセス速度のブラック・シアン・マゼンタ・イエロー４色各々のトナー濃度調整処理を省略でき、トナー濃度調整処理時間の短縮及び装置の無駄な消耗を抑制することが可能なカラー画像形成装置を提供することができる。
【図面の簡単な説明】
【００４６】
【図１】本発明の実施例を示す説明図である。
【図２】本発明の実施例における出荷時及び、セットアップ後のトナー濃度調整処理の制御方法を示すフローチャートである。
【図３】本発明の実施例における電源投入直後または、スリープモード解除直後または、規定枚数印刷毎のトナー濃度調整処理の制御方法を示すフローチャートである。
【図４】本発明の実施例における記憶装置の内部エリアを示す構成図である。
【符号の説明】
【００４７】
１      感光体
２      中間転写体
３      駆動手段
４      転写器
５      露光装置
６      帯電器
７      現像装置（Ｋ）
８      現像装置（Ｙ）
９      現像装置（Ｍ）
１０    現像装置（Ｃ）
１１    用紙カセット
１２    給紙ローラ
１３    定着器
１４    制御手段
１６    トナー濃度検出器
１００  記憶装置
【図１】
2009258456.tif 000003
【図２】
2009258456.tif 000004
【図３】
2009258456.tif 000005
【図４】
2009258456.tif 000006